(57)【要約】      （修正有）【課題】表示部の方向や高さ、角度を簡単に変更できる保育器用のモニタディスプレイ用ポールを提供する。【解決手段】ポール２２は、保育器の所要位置に下端部が取り付けられ、上端部側に新生児のモニタディスプレイが取り付けられる所要長さのポールであって、ポールは、対向する位置の両側面に長さ方向に沿って溝状の凹部２３が形成されている構成にしたので、溝状の凹部に沿って上下方向に移動できるようにモニタディスプレイが取り付けられ、取り付けられたモニタディスプレイを、操作する人の身長に合わせて見易いように上下方向の移動と、上下方向の角度変化および左右方向の向きを自由に変えることができるばかりでなく、モニタディスプレイの表示面にタッチ操作する外力が加わっても、モニタディスプレイが揺れたりまたはずれたり角度変更がされないように撓みのない強度を有し、常に適正な状態で表示部を見ながら操作できるようにした。【選択図】図９
2017124084.tif 000002
【特許請求の範囲】
【請求項１】
保育器の所要位置に下端部が取り付けられ、上端部側に新生児のモニタディスプレイが取り付けられる所要長さのポールであって、
該ポールは、対向する位置の両側面に長さ方向に沿って溝状の凹部が形成されていること
を特徴とする保育器用のモニタディスプレイ用のポール。
【請求項２】
前記ポール内には、前記溝状の凹部の底部に直交する方向に壁部が形成されると共に、該壁部の両側に中空部が形成されていること
を特徴とする請求項１に記載のモニタディスプレイ用のポール。
【請求項３】
前記ポールの上端部には、前記中空部に係止用脚部を嵌め込んでキャップが取り付けられていること
を特徴とする請求項２に記載のモニタディスプレイ用のポール。
【発明の詳細な説明】
【技術分野】
【０００１】
本発明は、院内において新生児を収容し所要のカートに乗せて育児室まで搬送し、育児室において、看護士が複数日面倒を見るために使用するための保育器であり、収用室の状態や新生児の状態をモニタリングして表示する保育器に取り付けられるモニタディスプレイ用のポールに関するものである。
【背景技術】
【０００２】
一般的に表示部またはコントロールパネルを備えた、新生児または乳幼児用保育器は複数のものが公知になっている。
第１の公知技術としては、新生児を収容するベッド部と、該ベッド部を覆い複数の手入窓（処置窓）を有する保護カバーと、該保護カバー内の温度や湿度などを管理するためのコントロールパネルを備えた保育器であって、前記保護カバーは、構成成分として導電性酸化亜鉛を含有する透明なガラスで形成され、可視光線のみを透過し、放射線や電磁波などを遮断する保育器である（特許文献１参照）。
【０００３】
この第１の公知技術に係る保育器においては、図面の記載からして、コントロールパネルは、保護カバーが被せられたベッド部の前面側の側面に取り付けられており、プッシュボタンらしき複数の四角形と表示部らしき長方形とが記載されているが、保護カバー内の温度や湿度などを管理するとの説明以外に、機能的な面については記載されていない。
【０００４】
また、第２の公知技術は、新生児収納室の側面に設けられている処置窓と、この処置窓を閉鎖および開放する処置扉と、架台には各支柱内を摺動する支柱を有する左右一対の支柱を設け、前記摺動する支柱に取り付けられて下降および上昇することによって前記新生児収容室の天面を閉鎖および開放する赤外線治療器を備えた天蓋と、摺動しない一方の支柱に取り付けられた操作・表示パネルと、赤外線加熱器が部屋の側面に衝突するのを防止する保護具とを備えた保育器であって、この操作・表示パネルに光線治療器オン／オフスイッチ、照明灯オン／オフスイッチ、照度設定スイッチ、照射範囲設定スイッチが設けられた保育器である（特許文献２参照）。
【０００５】
この第２の公知技術に係る保育器においては、支柱に取り付けられた操作・表示パネルは、閉鎖型保育器の状態から開放型保育器の状態へ保育器の状態が変更されると、照度計から出力される分光照射照度が低下するので、その場合は、所望の分光照射照度に、照度計から出力される分光照射照度が等しくなるまで、操作・表示パネルが光線治療光源の分光放射輝度を自動的に高める、というものである。
【先行技術文献】
【特許文献】
【０００６】
【特許文献１】特開２００２−１５３５２３号公報
【特許文献２】特開２０１０−２０７４３８号公報
【発明の開示】
【発明が解決しようとする課題】
【０００７】
前記第１の公知技術に係る保育器においては、コントロールパネルは、ポールを使用することなく、保護カバーが被せられたベッド部の前面側の側面における低い位置に定着状態に取り付けられており、コントロールパネルを操作する際には、医師や看護士が身を屈めて表示部を見ながら操作しなければならず、操作性が悪いという問題点を有している。
【０００８】
また、前記第２の公知技術に係る保育器においては、操作・表示パネルは支柱（ポール）に直に取り付けられているが、その取り付け位置が天蓋よりも下側で比較的低い位置に限定されており、しかも、操作・表示パネルの高さや水平方向及び上下方向の角度が変えられないので、やはり医師や看護士が身を屈めて表示部を見ながらの操作が厄介であり、操作性が悪いという問題点を有しでいる。
【０００９】
いずれにしても、前記第１〜２の公知技術に係る保育器においては、操作する医師や看護士の身長や見易いように、パネルの方向を変えたり高さや表示部の角度を変更することができない構成であり、いずれも身を屈めて表示部を見ながら操作しなければならず、多数の保育器について、その都度、順次個々に身を屈めて表示部を確認しながら操作することによって、医師や看護士といえども疲れが生じて、誤認や誤操作をするという危険性がある。
【００１０】
従って、この種の新生児の保育器においては、操作・表示パネルをポールに取り付けて操作する医師や看護士の見易い位置・方向に簡単に設定できること、つまり、軽量化して取り扱い易くしても撓みがないポールを提供し、該ポールに取り付けられた操作・表示パネルの高さや水平方向及び上下方向の角度を簡単に変更でき、且つ、表示部を見ながら表示部にタッチして操作しても、ずれたり回転したりせずに設定位置が維持できるようにして、誤認による操作ミスを解消させるようにすることである。
【課題を解決するための手段】
【００１１】
本発明は、前記課題を解決する具体的手段として、保育器の所要位置に下端部が取り付けられ、上端部側に新生児のモニタディスプレイが取り付けられる所要長さのポールであって、該ポールは、対向する位置の両側面に長さ方向に沿って溝状の凹部が形成されていることを特徴とする保育器のモニタディスプレイ用のポールを提供するものである。
【００１２】
本発明に係る保育器のモニタディスプレイ用のポールにおいて、前記ポール内には、前記溝状の凹部の底部に直交する方向に壁部が形成されると共に、該壁部の両側に中空部が形成されていること、および前記ポールの上端部には、前記中空部に係止用脚部を嵌め込んでキャップが取り付けられていること、を付加的な要件として含むものである。
【発明の効果】
【００１３】
本発明に係る保育器のモニタディスプレイ用のポールは、対向する位置の両側面に長さ方向に沿って溝状の凹部が形成されている構成であって、該溝状の凹部に沿って上下方向に移動できるようにモニタディスプレイが取り付けられるのであり、取り付けられたモニタディスプレイを、操作する人の身長に合わせて見易いように上下方向の移動と、上下方向の角度変化および左右方向の向きを自由に変えることができるばかりでなく、モニタディスプレイの表示面にタッチ操作する外力が加わっても、モニタディスプレイが揺れたりまたはずれたり角度変更がされないように撓みのない強度を有し、常に適正な状態で表示部を見ながら操作できるようにして、誤認による操作ミスを解消させることができるという優れた効果を奏する。
【００１４】
さらに、本発明に係るモニタディスプレイ用のポールは、保育器とモニタディスプレイとの間に配線されるケーブルを凹部内に纏めて納めることができるので、余剰のケーブル固定用の別部品を必要としないという優れた効果も奏する。
【図面の簡単な説明】
【００１５】
【図１】本発明の好ましい実施の形態に係るモニタディスプレイを取り付けた保育器の全体を示す斜視図である。
【図２】同実施の形態に係る保育器で、モニタディスプレイが取り付けられるポールを保育器に取り付ける状況を示した、要部のみの拡大斜視図である。
【図３】同実施の形態に係る保育器に取り付けられたモニタディスプレイのみの上面を示した平面図である。
【図４】図３のＡ−Ａ線に沿う断面図である。
【図５】図３のＢ−Ｂ線に沿う断面図である。
【図６】同実施の形態に係る保育器にモニタディスプレイを取り付けるために、モニタディスプレイ側に取り付けられる連結用のアタッチメントを示した斜視図である。
【図７】同実施の形態に係る保育器にモニタディスプレイを取り付けるために、ポール側に取り付けられる複数のアタッチメントを分離して示した斜視図である。
【図８】同実施の形態に係るモニタディスプレイが取り付けられる本発明の実施の形態に係るポールの上面を示した平面図である。
【図９】同実施の形態に係るポールの一部を省略して示した正面図である。
【図１０】同実施の形態に係るポール本体のみの上面を示した拡大平面図である。
【図１１】同実施の形態に係るポール本体の一部を省略して示した拡大右側面図である。
【図１２】同実施の形態に係るポールの上端に取り付けられるキャップの拡大斜視図である。
【図１３】同キャップの拡大下面図である。
【図１４】同キャップの拡大正面図である。
【図１５】同キャップの拡大側面図である。
【図１６】図１３のＣ−Ｃ線に沿う断面図である。
【発明を実施するための形態】
【００１６】
本発明を図示の実施の形態に基づいて説明する。まず、図１〜図２において、本発明に係るポールは保育器に取り付けられ、アタッチメントを介してモニタディスプレイが取り付けられるのであって、保育器は、例えば、本願発明と同一出願人に係る先願発明の特願２０１５−２１８２９９号に記載した保育器である。この先願発明の保育器について概略（要部）を説明すると、保育器１は、金属製の台車２の上部に保育室３が形成されたものであり、台車２の下部には、複数の車輪４が取り付けられて搬送が可能であり、少なくとも前面側には開閉できる一対の扉５が設けられ、周囲は壁部（壁板）６で囲われて独立した内部空間が形成され、該内部空間は、図示していないが複数の棚板で適宜に仕切られ、例えば、新生児の処置に必要な消毒薬等の薬品類や、ガーゼまたはタオル等の必需品が納められる。
【００１７】
台車２の上部には保育器基台７が取り付けられ、該保育器基台７の上部に保育室３が形成される。この保育室３は、保育器基台７上に設置した臥床台８に新生児を寝かせるベッド部（図示せず）が敷設され、少なくともベッド部全体を覆うように、透明な樹脂材で形成された前側と後側の長尺の側板９、１０と、両サイドの短尺の側板１１、１２と、天井フード１３とを組み合わせて形成される。少なくとも前側の側板９には、両手を保育室３内に挿入して施術ができるように一対の手入窓が設けられ、該各手入窓は、通常は軸受け部１４を介して開閉自在に取り付けられた扉１５が夫々設けられ、該各扉１５はラッチ機構などの係止部１６により係止させて閉塞されており、必要が生じた時にそれぞれ係止部１６を外して扉１５を開いて両手を保育室３内に挿入することができるのである。なお、臥床台８は、ベッド部と一緒に持ち上げることができるように両端部に取手部１７が取り付けてある。
【００１８】
また、前記前後の側板９、１０と、両サイドの側板１１、１２は、各隣接端部において複数のラッチ機構１８、１９によって着脱可能に連結・組み合わされるように構成され、前記前後の側板９、１０は、保育器基台７側に設けた複数の回動可能なヒンジ部２０によって、保育器基台７に着脱可能に取り付けられるのである。なお、先願発明の保育器１については、先願発明の明細書および図面に記載された構成をそのまま援用できますので、上記のように保育器としての概略（要部のみ）を説明して、詳細は省略する。
【００１９】
上記説明の構成を有する保育器１に対して、図１に示したように、モニタディスプレイ２１を本発明のポール２２を介して取り付けて使用するのである。この場合に、ポール２２に対して特徴的な構成を有するモニタアタッチメントを介してモニタディスプレイ２１が取り付けられるのである。なお、本発明に係るポール２２は、対称位置の２つの側面に、長さ方向に沿って溝状の凹部２３が両端部まで形成されたものであって、具体的な構成については後述する。
そこで、図２に示したように、保育器１を正面側から見て、例えば、右側または左側の所要位置に、好ましくは、保育器基台７にポール２２の下端部を支持させる支持部材２４を取り付け、該支持部材２４は、所要の高さを有すると共に、ポール２２が挿着される孔２５が設けられ、該孔２５は、ポール２２の断面形状に相当するように孔２５の内側に突出部２６を設けてあり、ポール２２を挿着したときに、突出部２６が溝状の凹部２３に嵌まってポール２２が回転せず安定した起立状態を維持するのである。なお、ポール２２の径は、概ね、２５±１ｍｍ程度で、長さは、８５０±１００ｍｍ程度であって、使用態様によってはさらに長いものが使用可能である。
【００２０】
このように保育器１に取り付けられたポール２２の上端近傍に、図３〜図５に示したように、モニタディスプレイ２１がモニタアタッチメント２７を介して取り付けられる。
モニタディスプレイ２１は、タッチパネル式で保育室３における温度や湿度およびその他の必要な情報をリアルタイムで表示すると共に、それら情報の設定および変更を画面タッチ式で行うことができる機能を有するものである。
【００２１】
そこで、モニタアタッチメント２７については、図６および図７に示したように、複数のアタッチメント（部品）から構成されているのである。まず、図６に示したアタッチメントは、モニタディスプレイ２１の裏面側中央部に取り付けられるものであって、長方形の金属プレートをコ字状に折り曲げた連結部材２８であり、折り曲げた両側が所要長さの連結用の脚部２９となるのである。そして、該脚部２９の端部側を円弧状に形成すると共に、端部寄りに連結用のボルト挿通孔３０が形成されている。なお、符号３１は、アタッチメントとして組み込まれた後に、脚部２９に係合させて取り付けるカバーであり、係止用の突起３１ａが設けられている。
【００２２】
次に、図７に示したアタッチメントは、ポール２２側に取り付けられるものであって、円筒状に形成された固定用のベース部材３２と、リング状に形成された連結用の可動部材３３と、該可動部材３３の回転を許容しながら、抜け出しを抑制するリング状に形成された押え部材３４とからなるものである。
前記ベース部材３２は、円筒状に形成され内周面の上下方向に、ポール２２の溝２３に嵌まる凸状部３５が形成されると共に、該凸状部３５と対向する側の位置に、ベース部材３２をポール２２の所定位置に固定するための摘みネジ３６を螺合するためのネジ穴３７が形成される。さらに、上方側の筒状部の外周面は、三段階に渡って細く形成される。つまり、ベース部材３２に対して、前記可動部材３３と押え部材３４とを順次嵌合させ、外径は同じで積層状態に形成するためである。
【００２３】
そのために、二段目の筒状部３８は、可動部材３３の高さ方向の厚みよりも僅かに（０．５ｍｍ未満）上方位置まで形成し、三段目の筒状部３９は、二段目の筒状部３８の頂部からベース部材３２の頂部まで形成する。そして、可動部材３３は、リング状の一部に舌状に張出した連結部４０が形成され、その連結部４０の先端部分は下方に所要の厚みを増して一体的に形成され、その増した厚みは、二段目の筒状部３８の形成位置より下方のベース部材３２の厚みに略一致するものであり、その厚みを増した部分の内側面はベース部材３２に接触しないように円弧状に形成すると共に、厚みを増した部分も含めて連結部４０にボルト挿通孔４１を設けてある。なお、可動部材３３のリング状の内径は、二段目の筒状部３８の外径よりも僅かに大きく（０．２ｍｍ未満）形成してあり、自由に回転ができるように構成してある。
【００２４】
また、押え部材３４については、リング状の内径を三段目の筒状部３９の外径と略等しく又は僅かに大きく（０．１ｍｍ未満）形成してあると共に、少なくとも１個のビス孔４２を設けてある。そして、前記可動部材３３を二段目の筒状部３８に回転自在に挿着した後に、押え部材３４を三段目の筒状部３９に挿着し、前記可動部材３３が抜け出さないように、ビス孔４２に対して適宜の押さえビスをねじ込んで三段目の筒状部３９に固定して組み立てたものである。また、前記したように、モニタディスプレイ２１の裏面側に取り付けられ、両端部に脚部２９を有する連結部材２８と、ポール２２側に取り付けられ、ベース部材３２に対して、回転自在の可動部材３３と押え部材３４とを組み立てた構成のものとが、要するに、モニタアタッチメント２７となるのである。
【００２５】
そこで、このモニタアタッチメント２７の組立について説明すると、予めモニタディスプレイ２１の裏面側に脚部２９を外側にして一体的に取り付けられた連結部材２８の脚部２９を、可動部材３３の舌状に張出した連結部４０の両側に位置させると共に、両者間に、例えば、硬質ゴムや弾性のあるワッシャー等の所要の摩擦部材４３を介在させ、ボルト挿通孔３０、４１にボルト４４を挿通して他端にナット４５を螺着し、該ナット４５を適宜の強さに締め付けて接触面がある程度の外力で滑動可能に連結させる。このようにモニタディスプレイ２１を連結させたモニタアタッチメント２７を、保育器１の側面に取り付けられたポール２２に対して、その上端部からベース部材３２の凸部３５がポール２２の溝状の凹部２３に嵌まるようにして装着し、所要の高さに位置付けしたところで、摘みネジ３６をねじ込んでポール２２に固定する。なお、モニタアタッチメント２７を取り付けた後に、ポール２２の上端面には，キャップ４６が取り付けられる。
【００２６】
このように保育器１に取り付けたポール２２に対して、モニタアタッチメント２７を介して取り付けられたモニタディスプレイ２１は、見る人の身長に合わせて、その表示面を上下方向の傾斜角度を変更したい時には、表示面を持って上下方向の傾斜角度を変えることができ、しかも、表示面をタッチして表示内容を変える操作をしても、摩擦部材４３の存在によって、その角度が変わることがないのである。また、見る方向によって表示面をポール２２に対して回転（水平状態で左右方向）させて変えたい時には、可動部材３３の存在によって簡単に変えることができるのである。
【００２７】
いずれにしても、前記したモニタアタッチメント２７は、保育器１に設置されるモニタディスプレイ２１の表示面を、予め設置したポール２２に対して、上下方向の傾斜角度と左右方向の回転角度とを簡単に変えることができるものであって、しかも、可動部材３３は円筒状に形成された固定用のベース部材３２に取り付けられているので、ポール２２の中心軸を回転軸として回転できるし、モニタディスプレイ２１の上下方向の傾斜角度は、可動部材３３に対して連結部材２８の脚部２９によって変更できるので、余分な間接部材等は不要であり、ポール２２との間隔を短くできるのである。その結果として、ポール２２に掛かるモーメントを軽減することができ、コストや装置重量の増大を抑制できる。なお、モニタアタッチメント２７は別発明として出願する。
【００２８】
そこで、本発明に係るポール２２の独特で特徴的な構成については、図８〜図１６を用いて説明する。ポール２２は、図８と図９に示したように、本体部分４７とキャップ４６とからなるものであり、本体部分については先に説明したとおり、対向面の両側面に長さ方向に沿って両端部まで溝状の凹部２３が形成され、キャップ４６についても本体部分４７の溝状の凹部２３に対応して同様の溝状の凹部２３ａが形成されている。
【００２９】
前記ポール２２の本体部分４７は、金属製であって、例えば、アルミニウム材を引き抜き加工、絞りしごき加工又は鋳造を含む型成形による加工等により、図１０と図１１に示したように、溝状の凹部２３を形成すると共に、該溝状の凹部２３の底部と直交する方向に壁部４８を形成すると共に、該壁部４８の両側に中空部４９を形成したものである。なお、溝状の凹部２３の底面は曲面ではなく平面として形成してある。
【００３０】
このようにポール２２の本体部分４７を形成すること、即ち、中空部４９を形成することによって軽量化が図れるし、図１０において、左右方向（Ｘ軸）の撓みに対しては、外周壁部分５０と壁部４８とが骨材として抵抗し、前後方向（Ｙ軸）の撓みに対しては、溝状の凹部２３の底面が骨材として抵抗するので、ポール２２の径を小さくして軽量でありながら撓みに強い安定したポールが得られるのである。
【００３１】
前記キャップ４６については、図１２〜図１６を援用して説明する。まず、図１２に示したように、キャップ４６は、ポール２２の本体部分４７における上端部に被せるように取り付けられるものであるから、全体として半球状に、好ましくは、例えば、緑色に着色したプラスチックで形成されるが、その下端面が本体部分４７の上端面と同一形状になるように、両側に溝状の凹部２３ａが形成される。
【００３２】
さらに、図１３〜図１６に示したように、キャップ４６下端部には、ポール２２の本体部分４７に設けられた各中空部４９に嵌まるように、一対の断面円弧状の係止用脚部５１と断面Ｖ字状の係止用脚部５２とが所要長さ突出形成されている。
【００３３】
そして、キャップ４６をポール２２の本体部分４７の上端部に取り付ける際に、円弧状の係止用部５１が各中空部４９の外側寄りの内壁面に当接するように、Ｖ字状の係止用脚部５２が各中空部４９の両側面に弾性的に当接するように嵌め込んで取り付けることによって安定した状態に取り付けられる。
【００３４】
また、ポール２２の両側面に底面が平面の溝状の凹部２３を設けたことにより、ポール２２に対してモニタアタッチメント２７の取付用の摘みネジ３６のネジ締め力が高くなり、モニタディスプレイ２１に外力が加わってもずれることはなくなるばかりでなく、ネジ締めによりポール２２の表面に傷を付けないので外観の体裁を損なうことがない。さらに、モニタディスプレイ２１と保育器１との間を接続する複数本のケーブル又はコード（図示せず）は、一方の溝状の凹部２３内に纏めて収納できるので、ケーブル固定用の別部品は不要になるのである。
【産業上の利用可能性】
【００３５】
本発明に係るポール２２は、保育器１の所要位置に下端部が取り付けられ、上端部側に新生児のモニタディスプレイ２１が取り付けられる所要長さのポール２２であって、該ポール２２は、対向する位置の両側面に長さ方向に沿って溝状の凹部２３が形成されている構成にしたので、溝状の凹部に沿って上下方向に移動できるようにモニタディスプレイ２１が取り付けられるのであり、取り付けられたモニタディスプレイ２１を、操作する人の身長に合わせて見易いように上下方向の移動と、上下方向の角度変化および左右方向の向きを自由に変えることができるばかりでなく、モニタディスプレイ２１の表示面にタッチ操作する外力が加わっても、モニタディスプレイ２１が揺れたりまたはずれたり角度変更がされないように撓みのない強度を有し、常に適正な状態で表示部を見ながら操作できるようにして、誤認による操作ミスを解消させることができるのであり、前記実施の形態に係る保育器１に限らず、他の搬送用保育器用としても広く利用できるのである。
【符号の説明】
【００３６】
１  保育器
２  台車
３  保育室
４  車輪
５  扉
６  壁部（壁板）
７  保育器基台
８  臥床台
９、１０  長尺の側板
１１、１２  短尺の側板
１３  天井フード
１４  軸受け部
１５  扉
１６  係止部
１７  取手部
１８、１９  ラッチ機構
２０  ヒンジ部
２１  モニタディスプレイ
２２  ポール
２３、２３ａ  溝状の凹部
２４  支持部材
２５  孔
２６  突出部
２７  モニタアタッチメント
２８  連結部材
２９  脚部
３０  ボルト挿通孔
３１  カバー
３１ａ  係止用の突起
３２  ベース部材
３３  可動部材
３４  押え部材
３５  凸状部
３６  摘みネジ
３７  ネジ穴
３８  二段目の筒状部
３９  三段目の筒状部
４０  連結部
４１  ボルト挿通孔
４２  ビス孔
４３  摩擦部材
４４  ボルト
４５  ナット
４６  キャップ
４７  ポールの本体部分
４８  壁部
４９  中空部
５０  外周壁部分
５１、５２  係止用部
【図１】
2017124084.tif 000003
【図２】
2017124084.tif 000004
【図３】
2017124084.tif 000005
【図４】
2017124084.tif 000006
【図５】
2017124084.tif 000007
【図６】
2017124084.tif 000008
【図７】
2017124084.tif 000009
【図８】
2017124084.tif 000010
【図９】
2017124084.tif 000011
【図１０】
2017124084.tif 000012
【図１１】
2017124084.tif 000013
【図１２】
2017124084.tif 000014
【図１３】
2017124084.tif 000015
【図１４】
2017124084.tif 000016
【図１５】
2017124084.tif 000017
【図１６】
2017124084.tif 000018
【手続補正書】
【提出日】平成28年12月2日(2016.12.2)
【手続補正１】
【補正対象書類名】明細書
【補正対象項目名】００１５
【補正方法】変更
【補正の内容】
【００１５】
本発明は、前記課題を解決する具体的手段として、保育器の所要位置に下端部が支持部材を介して取り付けられ、上端部側に新生児のモニタディスプレイがモニタアタッチメントを介して取り付けられる所要長さのポールであって、前記支持部材は、ポールの断面形状に相当する孔が設けられており、前記モニタアタッチメントは、モニタディスプレイの裏面が取り付けられる連結部材と、ポールが挿通し内側に凸状部と固定用の摘みネジとを有する円筒状に形成された固定用のベース部材と、リング状に形成された連結用の可動部材と、該可動部材の回転を許容しながら抜け出しを抑制するリング状の抑え部材とで構成され、前記ポールは、対向する位置の両側面に長さ方向に沿って溝状の凹部が形成されていることを特徴とする保育器用のモニタディスプレイ用のポールを提供するものである。
【手続補正２】
【補正対象書類名】特許請求の範囲
【補正対象項目名】全文
【補正方法】変更
【補正の内容】
【特許請求の範囲】
【請求項１】
保育器の所要位置に下端部が支持部材を介して取り付けられ、上端部側に新生児のモニタディスプレイがモニタアタッチメントを介して取り付けられる所要長さのポールであって、
前記支持部材は、ポールの断面形状に相当する孔が設けられており、
前記モニタアタッチメントは、モニタディスプレイの裏面が取り付けられる連結部材と、ポールが挿通し内側に凸状部と固定用の摘みネジとを有する円筒状に形成された固定用のベース部材と、リング状に形成された連結用の可動部材と、該可動部材の回転を許容しながら抜け出しを抑制するリング状の抑え部材とで構成され、
前記ポールは、対向する位置の両側面に長さ方向に沿って溝状の凹部が形成されていること
を特徴とする保育器用のモニタディスプレイ用のポール。
【請求項２】
前記ポール内には、前記溝状の凹部の底部に直交する方向に壁部が形成されると共に、該壁部の両側に中空部が形成されていること
を特徴とする請求項１に記載のモニタディスプレイ用のポール。
【請求項３】
前記ポールの上端部には、前記中空部に係止用脚部を嵌め込んでキャップが取り付けられていること
を特徴とする請求項２に記載のモニタディスプレイ用のポール。
【手続補正書】
【提出日】平成29年4月28日(2017.4.28)
【手続補正１】
【補正対象書類名】明細書
【補正対象項目名】００１５
【補正方法】変更
【補正の内容】
【００１５】
本発明は、前記課題を解決する具体的手段として、保育器の所要位置に下端部が支持部材を介して取り付けられ、上端部側に新生児のモニタディスプレイがモニタアタッチメントを介して取り付けられる所要長さのポールであって、前記支持部材は、ポールの断面形状に相当する孔が設けられており、前記モニタアタッチメントは、モニタディスプレイの裏面が取り付けられる連結部材と、ポールが挿通し内側に凸状部と固定用の摘みネジとを有する円筒状に形成された固定用のベース部材と、リング状に形成された連結用の可動部材と、該可動部材の回転を許容しながら抜け出しを抑制するリング状の押え部材とで構成され、前記ポールは、対向する位置の両側面に長さ方向に沿って溝状の凹部が形成されていることを特徴とする保育器用のモニタディスプレイ用のポールを提供するものである。
【手続補正２】
【補正対象書類名】特許請求の範囲
【補正対象項目名】全文
【補正方法】変更
【補正の内容】
【特許請求の範囲】
【請求項１】
保育器の所要位置に下端部が支持部材を介して取り付けられ、上端部側に新生児のモニタディスプレイがモニタアタッチメントを介して取り付けられる所要長さのポールであって、
前記支持部材は、ポールの断面形状に相当する孔が設けられており、
前記モニタアタッチメントは、モニタディスプレイの裏面が取り付けられる連結部材と、ポールが挿通し内側に凸状部と固定用の摘みネジとを有する円筒状に形成された固定用のベース部材と、リング状に形成された連結用の可動部材と、該可動部材の回転を許容しながら抜け出しを抑制するリング状の押え部材とで構成され、
前記ポールは、対向する位置の両側面に長さ方向に沿って溝状の凹部が形成されていること
を特徴とする保育器用のモニタディスプレイ用のポール。
【請求項２】
前記ポール内には、前記溝状の凹部の底部に直交する方向に壁部が形成されると共に、該壁部の両側に中空部が形成されていること
を特徴とする請求項１に記載のモニタディスプレイ用のポール。
【請求項３】
前記ポールの上端部には、前記中空部に係止用脚部を嵌め込んでキャップが取り付けられていること
を特徴とする請求項２に記載のモニタディスプレイ用のポール。